(57)【要約】【課題】重ね合わされた複数枚の用紙を人手によらずに１枚ずつの用紙に分離しやすいように捌く。【解決手段】複数枚の用紙が重ね合わされた紙束が、複数枚の用紙の一端面がそれぞれ底面１１に当接するように収容されるとともに、底面１１と同一面に、複数枚の用紙のそれぞれの一端面の一部を表出させる表出部を具備する用紙収容箱１０と、用紙収容箱１０に収容された紙束に対して表出部を介して空気を吹き付けるエアー供給器２１及びエアー供給ノズル２２とを有する。【選択図】図１
2008137744.tif 000002
【特許請求の範囲】
【請求項１】
複数枚の用紙が重ね合わされた紙束を１枚ずつの用紙に分離しやすいように捌く紙捌き装置であって、
前記複数枚の用紙が重ね合わされた紙束が、該複数枚の用紙の一端面がそれぞれ底面に当接するように収容されるとともに、前記底面と同一面に、前記複数枚の用紙のそれぞれの前記一端面の一部を表出させる表出部を具備する用紙収容部と、
前記用紙収容部に収容された紙束に対して前記表出部を介して空気を吹き付ける空気吹付部とを有する紙捌き装置。
【発明の詳細な説明】
【技術分野】
【０００１】
本発明は、複数枚の用紙が重ね合わされた紙束を１枚ずつの用紙に分離しやすいように捌く紙捌き装置に関する。
【背景技術】
【０００２】
従来より、クレジットカードや携帯電話の利用明細書は、所定の用紙に利用明細情報が印字され、封筒に封入されて利用者に発送されているが、利用明細書を発送するクレジットカード会社や携帯電話会社のほとんどは、広告情報が掲載されたチラシを利用明細書とともに封筒に封入して利用者に発送している。
【０００３】
また、広告情報が掲載された印刷物が封筒に封入されてなるダイレクトメールやビジネスメールにおいても、複数の印刷物がダイレクトメールやビジネスメールの送付先に応じた組み合わせで封筒に同封され、発送されている。
【０００４】
このように複数の印刷物を１つの封筒に同封する場合は、まず、１つの封筒に同封する複数の印刷物を組み合わせる必要がある。従来より、複数の印刷物を組み合わせる場合は、組み合わされる複数の印刷物を、その種類毎に設けられたフィーダから１枚ずつフィードし、フィードされた印刷物を搬送する搬送経路上にて順次重ね合わせることが行われ、それにより、複数の印刷物が組み合わされている（例えば、特許文献１参照。）。そのため、印刷物を１枚ずつフィードするフィーダのそれぞれには、フィードされる印刷物がその種類毎に複数枚重ね合わされて供給されることになる。
【０００５】
搬送経路上で組み合わされた複数の印刷物は、その後、１つの封筒に封入されることになる。
【特許文献１】特開平７−１８６１号公報
【発明の開示】
【発明が解決しようとする課題】
【０００６】
しかしながら、上述したように印刷物等の用紙が複数枚重ね合わされた場合、重ね合わされた用紙どうしが静電気等の作用によって密着してしまい、フィーダにかけられた際、一度に複数枚の用紙がフィードされてしまう、いわゆるダブルフィードが生じてしまう虞れがある。そこで、複数枚重ね合わされた用紙をフィーダにかける際に、複数枚の用紙が重ね合わされた紙束を作業員が手作業で波打たせるように揺動させることにより、１枚ずつの用紙に分離しやすいように捌くことが行われているが、この作業は人手による作業であるため、一度に捌くことができる用紙の枚数には限度があり、１つのフィーダにかけられる用紙の枚数や、用紙がかけられるフィーダの数が多い場合、作業効率が著しく低下してしまうという問題点がある。
【０００７】
本発明は、上述したような従来の技術が有する問題点に鑑みてなされたものであって、重ね合わされた複数枚の用紙を人手によらずに１枚ずつの用紙に分離しやすいように捌くことができる紙捌き装置を提供することを目的とする。
【課題を解決するための手段】
【０００８】
上記目的を達成するために本発明は、
複数枚の用紙が重ね合わされた紙束を１枚ずつの用紙に分離しやすいように捌く紙捌き装置であって、
前記複数枚の用紙が重ね合わされた紙束が、該複数枚の用紙の一端面がそれぞれ底面に当接するように収容されるとともに、前記底面と同一面に、前記複数枚の用紙のそれぞれの前記一端面の一部を表出させる表出部を具備する用紙収容部と、
前記用紙収容部に収容された紙束に対して前記表出部を介して空気を吹き付ける空気吹付部とを有する。
【０００９】
上記のように構成された本発明においては、複数枚の用紙が重ね合わされた紙束が、複数枚の用紙の一端面がそれぞれ底面に当接するように用紙収容部に収容され、その状態で空気吹付部から用紙収容部の底面と同一面に設けられた表出部を介して紙束に空気が吹き付けられると、吹き付けられた空気が紙束を構成する複数枚の用紙間を通って反対側に抜ける。これにより、重ね合わされた複数枚の用紙が、空気吹付部から吹き付けられた空気によって一旦分離するため、その後、フィーダにかけられた際に１枚ずつの用紙に分離しやすくなる。
【発明の効果】
【００１０】
以上説明したように本発明においては、複数枚の用紙が重ね合わされた紙束が、複数枚の用紙の一端面がそれぞれ底面に当接するように収容されるとともに、底面と同一面に複数枚の用紙のそれぞれの一端面の一部を表出させる表出部を具備する用紙収容部と、用紙収容部に収容された紙束に対して表出部を介して空気を吹き付ける空気吹付部とを有する構成としたため、用紙収容部に収容された紙束を構成する複数枚の用紙が、空気吹付部から吹き付けられた空気によって一旦分離することになり、それにより、重ね合わされた複数枚の用紙を人手によらずに１枚ずつの用紙に分離しやすいように捌くことができる。
【発明を実施するための最良の形態】
【００１１】
以下に、本発明の実施の形態について図面を参照して説明する。
【００１２】
図１は、本発明の紙捌き装置の実施の一形態を示す図であり、（ａ）は外観図、（ｂ）は機能ブロック図、（ｃ）は（ａ）に示した用紙収容箱１０を矢印Ａ方向から見た図、（ｄ）は（ａ）に示した用紙収容箱１０を矢印Ｂ方向から見た図である。また、図２は、図１に示したエアー供給ノズル２２の詳細な構造を示す図である。
【００１３】
本形態は図１に示すように、支持板３１上に載置され、複数枚の用紙が重ね合わされた紙束が収容される用紙収容部である用紙収容箱１０と、用紙収容箱１０に対して空気を吹き付ける空気吹付部を構成するエアー供給器２１及びエアー供給ノズル２２と、用紙収容箱１０に収容された用紙がエアー供給ノズル２２から吹き付けられる空気によって持ち上げられた場合にその旨を検出する光学センサ６２と、用紙収容箱１０に収容された状態で捌かれた複数枚の用紙が順次積み重ねられて収容されるスタッカ６０と、用紙収容箱１０に収容された状態で捌かれ、支持板３１上にて搬送されてきた複数枚の用紙を１枚ずつスタッカ６０にフィードするフィードローラ４２ａ，４２ｂと、用紙収容箱１０からスタッカ６０にフィードされる用紙を検出する光学センサ６１と、用紙収容箱１０に収容された状態で捌かれ、支持板３１上に積み重ねられた複数枚の用紙をフィードローラ４２ａ，４２ｂが設けられた領域まで搬送するためのコンベヤー４１ａ，４１ｂと、エアー供給ノズル２２、コンベヤー４１ａ，４１ｂ、フィードローラ４２ａ，４２ｂの動作を制御するとともに、用紙収容箱１０に設けられた側面回転軸１４ａ，１４ｂを回転させ、また、光学センサ６１にて検出された用紙の枚数をカウントする制御器５０とから構成されている。なお、用紙収容箱１０が載置された支持板３１には、表裏貫通した３つの穴部３２ａ〜３２ｃが設けられており、この穴部３２ａ〜３２ｃから、エアー供給ノズル２２及びコンベヤー４１ａ，４１ｂがそれぞれ表出している。
【００１４】
用紙収容箱１０は、複数枚の用紙が重ね合わされた紙束が載置される載置面となる底面１１と、互いに対向して設けられ、収容された複数枚の用紙を重ね合わせ方向にて挟持して支える２つの側面１２ａ，１２ｂと、互いに対向して設けられ、２つの側面１２ａ，１２ｂに対して直交する面によって収容された複数枚の用紙の端面を支える２つの端面支え面１３ａ，１３ｂとから構成されている。底面１１は、支持板３１に対向する面のうち、支持板３１に設けられた穴部３２ａ〜３２ｃに対向する領域が切り欠かれた形状となっている。それにより、用紙収容箱１０は、複数枚の用紙が重ね合わされた紙束が用紙収容箱１０に収容された場合に、穴部３２ａ〜３２ｃに対向する領域が、収容された複数枚の用紙の底面１１に当接する端面の一部がそれぞれ表出する表出部となっている。側面１２ａは、側面回転軸１４ａ，１４ｂによって底面１１に対して回転自在に繋がって上方に延びた形状となっており、その上端部は、２つの端面支え面１３ａ，１３ｂ間に渡った形状となっている。側面１２ｂは、支持板３１から所定の高さの領域から端面支え面１３ａ，１３ｂの上端部までにて２つの端面支え面１３ａ，１３ｂ間に渡った形状となっている。
【００１５】
光学センサ６１は、一対のセンサからなり、一方から照射された光が他方にて受光されているかどうかによって一対のセンサ間に物体が存在するかどうかを検出するものであって、支持板３１上から用紙がスタッカ６０にフィードされる際にその用紙を検出可能な位置に配置されている。
【００１６】
光学センサ６２は、一対のセンサからなり、一方から照射された光が他方にて受光されているかどうかによって一対のセンサ間に物体が存在するかどうかを検出するものであって、用紙収容箱１０に用紙が収容された状態ではセンサ間に用紙が存在せず、用紙収容箱１０に収容された用紙がエアー供給ノズル２２から吹き付けられる空気によって持ち上げられた場合にその用紙がセンサ間に存在するような位置に配置されている。
【００１７】
エアー供給ノズル２２は、エアー供給器２１から供給された空気を排出するものであって、支持板３１の穴部３２ａに対向する領域に用紙収容箱１０に対して空気を吹き付けるような向きに配置されており、それにより、エアー供給器２１から供給された空気を用紙収容箱１０の底面１１が設けられていない領域に対して吹き付ける。そして、制御器５０の制御によって、用紙収容箱１０に収容された用紙の重ね合わせ方向に支持軸２３に沿って穴部３２ａに対向しながら移動可能に構成されている。また、図２に示すように、エアー供給ノズル２２はその先端部が複数のエアー吹出口２４からなり、複数のエアー吹出口２４は、用紙収容箱１０に収容された用紙の重ね合わせ方向に直交する方向に配列されている。
【００１８】
制御器５０は、エアー供給ノズル２２を、支持軸２３によって用紙収容箱１０に収容された用紙の重ね合わせ方向に穴部３２ａに対向させながら移動させる。また、側面回転軸１４ａ，１４ｂを回転させて側面１２ａを支持板３１に当接するように倒し、コンベヤー４１ａ，４１ｂを所定の移動経路長分、回転駆動させる。また、フィードローラ回転軸４３を回転させることによりフィードローラ４２ａ，４２ｂを回転させ、コンベヤー４１ａ，４１ｂによって支持板３１上を搬送されてきた複数枚の用紙をその上面側から順次トップフィードし、スタッカ６０に収容する。また、光学センサ６２にて用紙が検出された場合に、警報等によってその旨を報知する。
【００１９】
以下に、上記のように構成された紙捌き装置１の動作について説明する。
【００２０】
まず、用紙収容箱１０に収容された紙束を捌く際の動作について説明する。
【００２１】
図３は、図１に示した紙捌き装置１にて用紙収容箱１０に収容された紙束を捌く際の動作を説明するための図であり、用紙収容箱１０を端面支え面１３ａ，１３ｂ方向から見た図である。
【００２２】
図３に示すように、複数枚の印刷物７０が重ね合わされた紙束を、その印刷物７０の一端面がそれぞれ底面１１に当接するように用紙収容箱１０に収容し、空気吹付部であるエアー供給器２１及びエアー供給ノズル２２を駆動させると、エアー供給器２１からエアー供給ノズル２２に空気が送られてエアー供給ノズル２２のエアー吹出口２４から空気が排出されるとともに、エアー供給ノズル２２が２つの側面１２ａ，１２ｂのうち一方の側面１２ａ側から他方の側面１２ｂ側に支持軸２３に沿って移動しはじめる。
【００２３】
エアー供給ノズル２２は、支持板３１の穴部３２ａに対向する領域に配置されており、また、この領域においては用紙収容箱１０の底面１１が存在しないため、エアー供給器２１から供給された空気は、エアー供給ノズル２２によって、用紙収容箱１０から表出した印刷物７０の端面に吹き付けられる。また、エアー供給ノズル２２は、初期状態として、２つの側面１２ａ，１２ｂのうち一方の端面１２ａ側に配置されており、また、エアー供給ノズル２２を構成する複数のエアー吹出口２４が、用紙収容箱１０に収容された印刷物７０の重ね合わせ方向に直交する方向に配列されているため、エアー供給ノズル２２から排出された空気は、用紙収容箱１０に収容された印刷物７０のうち、まず、一方の側面１２ａに接している印刷物７０に吹き付けられ、その後、エアー供給ノズル２２の移動に伴って、その他の印刷物に１枚ずつ順次吹き付けられていくことになる。
【００２４】
エアー供給ノズル２２から排出された空気が、用紙収容箱１０に収容された印刷物７０に吹き付けられると、図３に示すように、エアー供給ノズル２２によって吹き付けられた空気が印刷物７０の表裏、すなわち、用紙収容箱１０に収容された複数枚の印刷物７０の間を通って底面１１とは反対側に抜け、それにより、用紙収容箱１０に収容された複数枚の印刷物７０がエアー供給ノズル２２から吹き付けられた空気によって一旦分離する。
【００２５】
そして、エアー供給ノズル２２が支持軸２３によって印刷物７０の重ね合わせ方向に移動することにより、用紙収容箱１０に収容された複数枚の印刷物７０のそれぞれに対して、エアー供給ノズル２２から空気が順次吹き付けられていき、それにより、用紙収容箱１０に収容された複数枚の印刷物７０の全てがエアー供給ノズル２２から吹き付けられた空気によって一旦分離し、用紙収容箱１０に収容された紙束が捌かれることになる。
【００２６】
次に、上述したようにして用紙収容箱１０に収容された状態で捌かれた複数枚の印刷物７０をスタッカ６０に収容する際の動作について説明する。
【００２７】
図４は、図１に示した紙捌き装置１にて用紙収容箱１０に収容された状態で捌かれた複数枚の印刷物７０をスタッカ６０に収容する際の動作を説明するための図である。
【００２８】
エアー供給ノズル２２が支持軸２３に沿って移動して用紙収容箱１０の側面１２ｂ側に到達すると（図４（ａ））、制御器５０の制御によって、側面回転軸１４ａ，１４ｂが回転し、それにより、側面１２ａが側面１２ｂとは反対側に支持板３１に当接するように倒れる。
【００２９】
すると、用紙収容箱１０に収容されていた複数枚の印刷物７０が側面１２ａに寄り掛かるようにして倒れ込み、一部がずれたサシミ状に積み重ねされた状態となる（図４（ｂ））。
【００３０】
次に、制御器５０の制御によって、コンベヤー４１ａ，４１ｂが回転駆動する。コンベヤー４１ａ，４１ｂは、支持板３１に設けられた穴部３２ｂ，３２ｃからそれぞれ表出しており、また、支持板３１に当接するように倒れた側面１２ａは、穴部３２ｂに対向する領域が切り欠かれた形状となっているため、側面１２ａに寄り掛かるようにして倒れ込んだ複数枚の印刷物７０はコンベヤー４１ａ，４１ｂにそれぞれ接触し、それにより、支持板３１上に倒れ込んでサシミ状に積み重ねられた複数枚の印刷物７０がフィードローラ４２ａ，４２ｂ側に搬送されていく（図４（ｃ））。この際、制御器５０の制御によって、フィードローラ回転軸４３を回転することによりフィードローラ４２ａ，４２ｂが回転している。
【００３１】
コンベヤー４１ａ，４１ｂによって、支持板３１上にてサシミ状に積み重ねられた複数枚の印刷物７０がフィードローラ４２ａ，４２ｂ側に搬送されていくと、搬送されてきた複数枚の印刷物７０が最上面となる印刷物７０から順次フィードローラ４２ａ，４２ｂに接触し、それにより、複数枚の印刷物７０が１枚ずつトップフィードされ、スタッカ６０に積み重ねられるようにして収容されていく（図４（ｄ））。なおこの際、光学センサ６１において、支持板３１上からスタッカ６０に収容される印刷物７０が、フィードローラ４２ａ，４２ｂによってフィードされる度毎に検出され、制御器５０においてその枚数がカウントされる。制御器５０においては、カウントされた枚数と用紙収容箱１０に収容された印刷物７０の枚数とを照合することにより、用紙収容箱１０に収容された複数枚の印刷物７０が確実に捌かれたことが確認されることになる。
【００３２】
制御器５０においては、支持板３１上にサシミ状に積み重ねられた複数の印刷物７０のうち、最下面となる印刷物７０がフィードローラ４２ａ，４２ｂと接触する領域まで搬送されると、コンベヤー４１ａ，４１ｂの回転を停止させる。
【００３３】
このようにして、一度捌かれて複数の印刷物７０が１枚ずつ分離しやすくなった紙束がスタッカ６０に積み重ねられて収容されることになる。
【００３４】
ここで、上述した紙捌き装置１においては、複数の紙片部が重ね合わされ、その一端部が折り畳まれたり綴じられたりし、他端部が開放された複数の用紙が所定の向きになるように重ね合わされて用紙収容箱１０に収容された場合にその複数の用紙の中から逆向きに重ね合わされた用紙を検出することもできる。以下に、その動作について説明する。
【００３５】
図５は、図１に示した紙捌き装置１において、用紙収容箱１０に収容された用紙の中から逆向きに重ね合わされた用紙を検出する場合における用紙の収容状態を示す図であり、用紙収容箱１０を端面支え面１３ａ，１３ｂ方向から見た図である。
【００３６】
図５に示すように、一端部が折り部となって折り畳まれた印刷物１７０−１〜１７０−８が所定の向きに重ね合わされ、この中から逆向きに重ね合わされた印刷物を検出する場合は、印刷物１７０−１〜１７０−８が、折り部となった側の辺部が底面１１に当接するように用紙収容箱１０に収容される。この際、光学センサ６２を構成する一対のセンサ間には印刷物１７０−１〜１７０−８が存在していないため、光学センサ６２においては印刷物１７０−１〜１７０−８が検出されていない状態となっている。なお、本例においては、説明を簡単にするために８つの印刷物１７０−１〜１７０−８が重ね合わされて用紙収容箱１０に収容された場合を例に挙げて説明しているが、実際にはこれよりも多くの印刷物が重ね合わされて用紙収容箱１０に収容されることになる。
【００３７】
図６は、図１に示した紙捌き装置１の用紙収容箱１０に所定の向きで重ね合わされて収容された印刷物の中から逆向きに重ね合わされた印刷物を検出する際の動作を説明するための図であり、（ａ）は所定の向きで重ね合わされた印刷物に対してエアー供給ノズル２２から空気が吹き付けられた状態を示す図、（ｂ）は逆向きで重ね合わされた印刷物に対してエアー供給ノズル２２から空気が吹き付けられた状態を示す図である。なお、本例においては、８枚の印刷物１７０−１〜１７０−８が重ね合わされ、そのうち、印刷物１７０−１〜１７０−４，１７０−６〜１７０−８が所定の向きに、また、印刷物１７０−５のみがそれとは逆向きに重ね合わされたものとする。
【００３８】
８枚の印刷物１７０−１〜１７０−８を、これらが重ね合わされた状態で、所定の向きに重ね合わされた印刷物１７０−１〜１７０−４，１７０−６〜１７０−８の折り部側の辺部が底面１１に当接するように用紙収容箱１０に収容し、エアー供給器２１及びエアー供給ノズル２２を駆動させると、エアー供給器２１からエアー供給ノズル２２に空気が送られてエアー供給ノズル２２のエアー吹出口２４から空気が排出されるとともに、エアー供給ノズル２２が側面１２ａの側から側面１２ｂの側に支持軸２３によって移動しはじめる。
【００３９】
エアー供給ノズル２２から排出された空気が、用紙収容箱１０に収容された印刷物１７０−１〜１７０−８のうち、所定の向きに重ね合わされた印刷物１７０−１に吹き付けられると、図６（ａ）に示すように、エアー供給ノズル２２によって空気が吹き付けられる側が、印刷物１７０−１の折り部となって開放されていないため、エアー供給ノズル２２によって吹き付けられた空気が印刷物１７０−１の表裏を通って底面１１とは反対側に抜け、それにより、エアー供給ノズル２２から吹き付けられた空気によって印刷物１７０−１が持ち上げられることはない。これは、所定の向きに重ね合わされた印刷物１７０−２〜１７０−４，１７０−６〜１７０−８についても同様である。
【００４０】
一方、所定の向きとは逆向きに重ね合わされた印刷物１７０−５においては、図６（ｂ）に示すように、エアー供給ノズル２２によって空気が吹き付けられる側が、複数の紙片部間が開放された状態となっているため、エアー供給ノズル２２によって吹き付けられた空気が、開放された複数の紙片部間に入り込んで折り部に突き当たり、それにより、エアー供給ノズル２２から吹き付けられた空気によって印刷物１７０−５が持ち上げられる。
【００４１】
このようにしてエアー供給ノズル２２から吹き付けられた空気によって印刷物１７０−５が持ち上げられると、光学センサ６２を構成する一対のセンサのうち一方から照射された光が印刷物１７０−５によって遮られ、他方のセンサにて受光されなくなる。
【００４２】
すると、その旨が制御器５０に通知され、制御器５０から警報等が出力されることにより、用紙収容箱１０に収容された印刷物１７０−１〜１７０−８の中に、所定の向きとは逆向きに重ね合わされた印刷物が存在する旨が示され、用紙収容箱１０から持ち上げられた印刷物１７０−５が用紙収容箱１０から一旦抜き取られ、正しい向きとされて印刷物１７０−１〜１７０−４，１７０−６〜１７０−８の中に戻される。
【００４３】
なお、本形態においては、側面回転軸１４ａ，１４ｂが制御器５０の制御によって回転することにより側面１２ａが側面１２ｂとは反対側に倒れる構成としたが、側面１２ａに対して、ばね等によって側面１２ｂとは反対側に倒れる方向に力が加えるとともに、側面１２ａを端面支え面１３ａ，１３ｂに固定しておき、制御器５０の制御によって側面１２ａの固定を解除することにより、側面１２ａが側面１２ｂとは反対側に倒れる構成とすることも考えられる。
【００４４】
また、本形態においては、エアー供給ノズル２２が、図２に示したように、用紙収容箱１０に収容された印刷物７０の重ね合わせ方向に直交する方向に配列された複数のエアー吹出口２４を先端部に有するものであるが、用紙収容箱１０に収容された印刷物７０の重ね合わせ方向に直交する方向を長手方向とする長手形状の吹出口を１つだけ有するものであってもよい。
【００４５】
また、本形態においては、用紙収容箱１０に収容された印刷物７０に対して支持板３１の穴部３２ａ及び用紙収容箱１０の印刷物７０が表出した表出部を介して空気を吹き付けるエアー供給ノズル２２が、支持軸２３に沿って印刷物７０の重ね合わせ方向に穴部３２ａに対向しながら移動する構成としているが、エアー供給ノズル２２を固定するとともに用紙収容箱１０を印刷物７０の重ね合わせ方向に移動させることによりエアー供給ノズル２２と用紙収容箱１０との相対位置を変化させ、エアー供給ノズル２２から排出された空気が吹き付けられる印刷物７０を変えていく構成とすることも考えられる。また、エアー供給ノズル２２と用紙収容箱１０とを固定し、エアー供給ノズル２２を支持板３１の穴部３２ａの全体に対して一度に空気を吹き付ける構成とすることも考えられる。
【００４６】
また、図１に示した紙捌き装置１にて捌かれる紙束を構成する用紙としては、上述したように、１枚の紙片から構成されて折り畳まれない状態で用紙収容箱１０に収容されるものに限らず、複数の紙片が綴じ合わされたものや、１枚の紙片が折り畳まれた状態で用紙収容箱１０に収容されるもの等であってもよい。
【図面の簡単な説明】
【００４７】
【図１】本発明の紙捌き装置の実施の一形態を示す図であり、（ａ）は外観図、（ｂ）は機能ブロック図、（ｃ）は（ａ）に示した用紙収容箱を矢印Ａ方向から見た図、（ｄ）は（ａ）に示した用紙収容箱を矢印Ｂ方向から見た図である。
【図２】図１に示したエアー供給ノズルの詳細な構造を示す図である。
【図３】図１に示した紙捌き装置にて用紙収容箱に収容された紙束を捌く際の動作を説明するための図である。
【図４】図１に示した紙捌き装置にて用紙収容箱に収容された状態で捌かれた複数枚の印刷物をスタッカに収容する際の動作を説明するための図である。
【図５】図１に示した紙捌き装置において、用紙収容箱に収容された用紙の中から逆向きに重ね合わされた用紙を検出する場合における用紙の収容状態を示す図である。
【図６】図１に示した紙捌き装置の用紙収容箱に所定の向きで重ね合わされて収容された印刷物の中から逆向きに重ね合わされた印刷物を検出する際の動作を説明するための図であり、（ａ）は所定の向きで重ね合わされた印刷物に対してエアー供給ノズルから空気が吹き付けられた状態を示す図、（ｂ）は逆向きで重ね合わされた印刷物に対してエアー供給ノズルから空気が吹き付けられた状態を示す図である。
【符号の説明】
【００４８】
１    紙捌き装置
１０    用紙収納箱
１１    底面
１２ａ，１２ｂ    側面
１３ａ，１３ｂ    端面支え面
１４ａ，１４ｂ    側面回転軸
２１    エアー供給器
２２    エアー供給ノズル
２３    支持軸
２４    エアー吹出口
３１    支持板
３２ａ〜３２ｃ    穴部
４１ａ，４１ｂ    コンベヤー
４２ａ，４２ｂ    フィードローラ
４３    フィードローラ回転軸
５０    制御器
６０    スタッカ
６１，６２    光学センサ
７０，１７０−１〜１７０−８    印刷物
【図１】
2008137744.tif 000003
【図２】
2008137744.tif 000004
【図３】
2008137744.tif 000005
【図４】
2008137744.tif 000006
【図５】
2008137744.tif 000007
【図６】
2008137744.tif 000008